(57)【要約】【課題】Ｖ偏波／Ｈ偏波用の無線機のスクランブル方式が同一である場合にも、マルチパスフェーディングを発生させずにＳＴＭ−Ｎ信号を正常に伝送する。【解決手段】Ｖ偏波用無線機１ａ，２ａおよびＨ偏波用無線機１ｂ，２ｂのうち一方の偏波用無線機の送信側では、対向局に送信すべきＳＴＭ−Ｎ信号が遅延回路を通過するように設定されている。また、Ｖ偏波用無線機１ａ，２ａおよびＨ偏波用無線機１ｂ，２ｂのうち他方の偏波用無線機の受信側では、対向局から受信したＳＴＭ−Ｎ信号が一方の偏波用無線機の送信側に設けたものと同一の遅延回路を通過するように設定されている。【選択図】      図１
2004247772.tif 000002
【特許請求の範囲】
【請求項１】
Ｖ偏波用無線機およびＨ偏波用無線機を備えた対向する２つの局を有し、対向する２つの局間で同一ＲＦ周波数のＶ偏波およびＨ偏波をそれぞれ用いてアンテナを介してＳＴＭ−Ｎ信号を伝送する伝送システムにおいて、
前記Ｖ偏波用無線機および前記Ｈ偏波用無線機のうち一方の偏波用無線機は、所定の遅延量の遅延回路を送信側に有し、前記対向局に送信すべきＳＴＭ−Ｎ信号が該遅延回路を通過するように設定されていることを特徴とする伝送システム。
【請求項２】
請求項１に記載の伝送システムにおいて、
前記Ｖ偏波用無線機および前記Ｈ偏波用無線機のうち他方の偏波用無線機は、前記一方の偏波用無線機内の送信側に設けた前記遅延回路と同一の遅延回路を受信側に有し、前記対向局から受信したＳＴＭ−Ｎ信号が該遅延回路を通過するように設定されていることを特徴とする伝送システム。
【請求項３】
請求項２に記載の伝送システムにおいて、
前記他方の偏波用無線機は、前記一方の偏波用無線機内の送信側に設けた前記遅延回路と同一の遅延回路を送信側に有しているが、前記対向局に送信すべき前記ＳＴＭ−Ｎ信号が該遅延回路を迂回し通過しないように設定されており、
前記一方の偏波用無線機は、前記他方の偏波用無線機内の受信側に設けた前記遅延回路と同一の遅延回路を受信側に有しているが、前記対向局から受信した前記ＳＴＭ−Ｎ信号が該遅延回路を迂回し通過しないように設定されていることを特徴とする伝送システム。
【請求項４】
請求項１から３のいずれか１項に記載の伝送システムにおいて、
前記Ｖ偏波用無線機および前記Ｈ偏波用無線機のそれぞれは、
外部機器から入力されたＳＴＭ−Ｎ信号をベースバンドデジタル信号に変換して出力するとともに、ベースバンドデジタル信号をＳＴＭ−Ｎ信号に変換して前記外部機器に対して出力するインターフェイス回路と、
前記インターフェイス回路から入力されたベースバンドデジタル信号をスクランブル信号処理し、周波数軸上に変調して変調波信号として出力する変調器と、
前記変調器から入力された変調波信号をＲＦ信号に変換して前記対向局に対して送信するとともに、前記対向局から受信したＲＦ信号を変調波信号に変換して出力する送受信器と、
前記送受信器から入力された変調波信号をベースバンドデジタル信号に復調し、スクランブル信号処理を解除して前記インターフェイス回路に対して出力する復調器とを有し、
前記一方の偏波用無線機の送信側では、前記変調器に前記遅延回路が設けられていることを特徴とする伝送システム。
【請求項５】
請求項１から３のいずれか１項に記載の伝送システムにおいて、
前記Ｖ偏波用無線機および前記Ｈ偏波用無線機のそれぞれは、
外部機器から入力されたＳＴＭ−Ｎ信号をベースバンドデジタル信号に変換して出力するとともに、ベースバンドデジタル信号をＳＴＭ−Ｎ信号に変換して前記外部機器に対して出力するインターフェイス回路と、
前記インターフェイス回路から入力されたベースバンドデジタル信号をスクランブル信号処理し、周波数軸上に変調して変調波信号を出力する変調器と、
前記変調器から入力された変調波信号をＲＦ信号に変換して前記対向局に対して送信するとともに、前記対向局から受信したＲＦ信号を変調波信号に変換して出力する送受信器と、
前記送受信器から入力された変調波信号をベースバンドデジタル信号に復調し、スクランブル信号処理を解除して前記インターフェイス回路に対して出力する復調器とを有し、
前記一方の偏波用無線機の送信側では、前記インターフェイス回路の送信側に前記遅延回路が設けられていることを特徴とする伝送システム。
【請求項６】
請求項１から３のいずれか１項に記載の伝送システムにおいて、
前記Ｖ偏波用無線機および前記Ｈ偏波用無線機のそれぞれは、
外部機器から入力されたＳＴＭ−Ｎ信号をベースバンドデジタル信号に変換して出力するとともに、ベースバンドデジタル信号をＳＴＭ−Ｎ信号に変換して前記外部機器に対して出力するインターフェイス回路と、
前記インターフェイス回路から入力されたベースバンドデジタル信号をスクランブル信号処理し、周波数軸上に変調して変調波信号を出力する変調器と、
前記変調器から入力された変調波信号をＲＦ信号に変換して前記対向局に対して送信するとともに、前記対向局から受信したＲＦ信号を変調波信号に変換して出力する送受信器と、
前記送受信器から入力された変調波信号をベースバンドデジタル信号に復調し、スクランブル信号処理を解除して前記インターフェイス回路に対して出力する復調器とを有し、
前記一方の偏波用無線機の送信側では、前記送受信器の送信側に前記遅延回路が設けられていることを特徴とする伝送システム。
【発明の詳細な説明】
【０００１】
【発明の属する技術分野】
本発明は、ＳＴＭ−Ｎ（Ｓｙｎｃｈｒｏｎｏｕｓ  Ｔｒａｎｓｐｏｒｔ  Ｍｏｄｕｌｅ−Ｎ）信号を伝送する伝送システムに関し、特に、冗長構成への対応としてコチャンネル（ｃｏ−ｃｈａｎｎｅｌ；同一チャンネル）周波数配置を利用し、互いに直交する同一ＲＦ周波数の２つの交差偏波（垂直（Ｖ）偏波／水平（Ｈ）偏波）を用いてＳＴＭ−Ｎ信号を伝送するＳＴＭ−Ｎ伝送システムに関する。
【０００２】
【従来の技術】
従来、デジタルマイクロ波通信用の伝送システムにおいては、互いに直交する同一ＲＦ周波数の２つの交差偏波（Ｖ偏波／Ｈ偏波）を用いて信号の伝送を行うコチャンネル伝送方式を採用することがあった（例えば、特許文献１参照）。
【０００３】
ここで、コチャンネル周波数配置を利用したコチャンネル伝送方式でＳＴＭ−Ｎ信号を伝送する従来の伝送システムについて、図３を参照して説明する。
【０００４】
図３に示すように、本従来例の伝送システムは、ＭＵＸ装置３００から分岐出力されたＶ偏波／Ｈ偏波の２本のＳＴＭ−Ｎ信号をそれぞれ入力とするＶ偏波用無線機３ａおよびＨ偏波用無線機３ｂと、その対向局であって、ＭＵＸ装置４００から分岐出力されたＶ偏波／Ｈ偏波の２本のＳＴＭ−Ｎ信号をそれぞれ入力とするＶ偏波用無線機４ａおよびＨ偏波用無線機４ｂとを有しており、対向する２つの局間では同一ＲＦ周波数のＶ偏波およびＨ偏波の２つの交差偏波をそれぞれ用いてアンテナを介してＳＴＭ−Ｎ信号を伝送する。
【０００５】
無線機３ａ／３ｂ／４ａ／４ｂのそれぞれは、外部機器（本従来例ではＭＵＸ装置）から入力されたＳＴＭ−Ｎ信号をベースバンドデジタル信号に変換して出力するとともに、ベースバンドデジタル信号をＳＴＭ−Ｎ信号に変換して外部機器に出力するインターフェイス回路３１ａ／３１ｂ／４１ａ／４１ｂと、インターフェイス回路から入力されたベースバンドデジタル信号をスクランブル信号処理し、周波数軸上に変調して変調波信号として出力する変調回路３２１ａ／３２１ｂ／４２１ａ／４２１ｂを備える変調器３２ａ／３２ｂ／４２ａ／４２ｂと、変調器から入力された変調波信号をＲＦ信号に変換して対向局に送信するとともに、対向局から受信したＲＦ信号を変調波信号に変換して出力する送受信器３３ａ／３３ｂ／４３ａ／４３ｂと、送受信器から入力された変調波信号をベースバンドデジタル信号に復調し、復調したベースバンドデジタル信号から交差偏波間干渉を除去し、スクランブル信号処理を解除してインターフェイス回路に出力する復調器３４ａ／３４ｂ／４４ａ／４４ｂと、交差偏波間干渉を再生し干渉補償信号を生成する交差偏波干渉補償器３５ａ／３５ｂ／４５ａ／４５ｂとを有している。
【０００６】
【特許文献１】
特開平０７−１７７１２３号公報
【０００７】
【発明が解決しようとする課題】
しかしながら、図３に示した従来の伝送システムにおいては、Ｖ偏波／Ｈ偏波用の無線機のそれぞれにてスクランブル周期が同一である同一のスクランブル方式を採用している場合、無線機の起動タイミングによっては同じスクランブル位置からスクランブル信号処理をスタートすることがあるため、アンテナから出力されるＶ偏波／Ｈ偏波の無線信号同士は数シンボル違うだけの非常に強い相関を持つ可能性がある。Ｖ偏波／Ｈ偏波の無線信号同士が互いに強い相関を持った場合、マルチパスフェーディングの原理によりフェーディングが発生し回線品質が劣化してしまうという問題があった。
【０００８】
本発明の目的は、Ｖ偏波／Ｈ偏波用の無線機のそれぞれのスクランブル方式が同一である場合にも、マルチパスフェーディングを発生することなく、正常にＳＴＭ−Ｎ信号を伝送することができる伝送システムを提供することにある。
【０００９】
【課題を解決するための手段】
上記目的を達成するために本発明の伝送システムは、
Ｖ偏波用無線機およびＨ偏波用無線機を備えた対向する２つの局を有し、対向する２つの局間で同一ＲＦ周波数のＶ偏波およびＨ偏波をそれぞれ用いてアンテナを介してＳＴＭ−Ｎ信号を伝送する伝送システムにおいて、前記Ｖ偏波用無線機および前記Ｈ偏波用無線機のうち一方の偏波用無線機は、所定の遅延量の遅延回路を送信側に有し、前記対向局に送信すべきＳＴＭ−Ｎ信号が該遅延回路を通過するように設定されていることを特徴とするものである。
【００１０】
この構成によれば、Ｖ偏波用無線機およびＨ偏波用無線機のうち一方の偏波用無線機の送信側では、対向局に送信すべきＳＴＭ−Ｎ信号が遅延回路を通過するように設定されているため、Ｖ偏波用無線機およびＨ偏波用無線機のそれぞれのスクランブル方式が同一である場合でも、アンテナから送出されるＶ偏波／Ｈ偏波の無線信号同士が互いに強い相関を持つことがなくなり、それにより、マルチパスフェーディングを発生することなく、正常にＳＴＭ−Ｎ信号を伝送することが可能となる。
【００１１】
また、前記Ｖ偏波用無線機および前記Ｈ偏波用無線機のうち他方の偏波用無線機は、前記一方の偏波用無線機内の送信側に設けた前記遅延回路と同一の遅延回路を受信側に有し、前記対向局から受信したＳＴＭ−Ｎ信号が該遅延回路を通過するように設定されていることとしても良い。
【００１２】
この構成によれば、Ｖ偏波用無線機およびＨ偏波用無線機のうち他方の偏波用無線機の受信側では、対向局から受信したＳＴＭ−Ｎ信号が一方の偏波用無線機の送信側に設けたものと同一の遅延回路を通過するように設定されているため、Ｖ偏波／Ｈ偏波の交差偏波間での伝播遅延時間を等しくすることが可能となる。
【００１３】
また、前記他方の偏波用無線機は、前記一方の偏波用無線機内の送信側に設けた前記遅延回路と同一の遅延回路を送信側に有しているが、前記対向局に送信すべき前記ＳＴＭ−Ｎ信号が該遅延回路を迂回し通過しないように設定されており、前記一方の偏波用無線機は、前記他方の偏波用無線機内の受信側に設けた前記遅延回路と同一の遅延回路を受信側に有しているが、前記対向局から受信した前記ＳＴＭ−Ｎ信号が該遅延回路を迂回し通過しないように設定されていることとしても良い。
【００１４】
この構成によれば、ＳＴＭ−Ｎ信号が他方の偏波用無線機の送信側に設けた遅延回路および一方の偏波用無線機の受信側に設けた遅延回路を迂回するように設定されているため、これらの遅延回路を無線機に設けたとしても上記の効果に影響を与えることがない。それにより、他方の偏波用無線機の送信側および一方の偏波用無線機の受信側にも遅延回路を設けて、Ｖ偏波用無線機およびＨ偏波用無線機のそれぞれを同一のハードウェア構成とすることも可能となる。
【００１５】
また、前記Ｖ偏波用無線機および前記Ｈ偏波用無線機のそれぞれは、外部機器から入力されたＳＴＭ−Ｎ信号をベースバンドデジタル信号に変換して出力するとともに、ベースバンドデジタル信号をＳＴＭ−Ｎ信号に変換して前記外部機器に対して出力するインターフェイス回路と、前記インターフェイス回路から入力されたベースバンドデジタル信号をスクランブル信号処理し、周波数軸上に変調して変調波信号として出力する変調器と、前記変調器から入力された変調波信号をＲＦ信号に変換して前記対向局に対して送信するとともに、前記対向局から受信したＲＦ信号を変調波信号に変換して出力する送受信器と、前記送受信器から入力された変調波信号をベースバンドデジタル信号に復調し、スクランブル信号処理を解除して前記インターフェイス回路に対して出力する復調器とを有し、前記一方の偏波用無線機の送信側では、前記変調器に前記遅延回路が設けられていることとしても良い。また、前記一方の偏波用無線機の送信側では、前記インターフェイス回路の送信側に前記遅延回路が設けられていることとしても良い。また、前記一方の偏波用無線機の送信側では、前記送受信器の送信側に前記遅延回路が設けられていることとしても良い。
【００１６】
【発明の実施の形態】
以下に、本発明の実施の形態について図面を参照して説明する。
【００１７】
図１は、コチャンネル周波数配置を利用したコチャンネル伝送方式でＳＴＭ−Ｎ信号を伝送する本発明の一実施形態の伝送システムを示す図である。
【００１８】
図１に示すように、本発明の一実施形態の伝送システムは、ＭＵＸ装置１００にて分岐出力されたＶ偏波／Ｈ偏波の２本のＳＴＭ−Ｎ信号をそれぞれ入力とするＶ偏波用無線機１ａおよびＨ偏波用無線機１ｂと、その対向局であって、ＭＵＸ装置２００にて分岐出力されたＶ偏波／Ｈ偏波の２本のＳＴＭ−Ｎ信号をそれぞれ入力とするＶ偏波用無線機２ａおよびＨ偏波用無線機２ｂとを有しており、対向する２つの局間では同一ＲＦ周波数のＶ偏波およびＨ偏波の２つの交差偏波をそれぞれ用いてアンテナを介してＳＴＭ−Ｎ信号を伝送する。
【００１９】
無線機１ａ／１ｂ／２ａ／２ｂのそれぞれは、外部機器（本実施形態ではＭＵＸ装置）から入力されたＳＴＭ−Ｎ信号をベースバンドデジタル信号に変換して出力するとともに、ベースバンドデジタル信号をＳＴＭ−Ｎ信号に変換して外部機器に出力するインターフェイス回路１１ａ／１１ｂ／２１ａ／２１ｂと、インターフェイス回路から入力されたベースバンドデジタル信号を周波数軸上に変調して変調波信号として出力する変調器１２ａ／１２ｂ／２２ａ／２２ｂと、変調器から入力された変調波信号をＲＦ信号に変換して対向局に送信するとともに、対向局から受信したＲＦ信号を変調波信号に変換して出力する送受信器１３ａ／１３ｂ／２３ａ／２３ｂと、送受信器から入力された変調波信号をベースバンドデジタル信号に復調し、復調したベースバンドデジタル信号から交差偏波間干渉を除去し、スクランブル信号処理を解除してインターフェイス回路に出力する復調器１４ａ／１４ｂ／２４ａ／２４ｂと、交差偏波間干渉を再生し干渉補償信号を生成する交差偏波干渉補償器１５ａ／１５ｂ／２５ａ／２５ｂとを有している。
【００２０】
変調器１２ａ／１２ｂ／２２ａ／２２ｂのそれぞれは、変調回路１２１ａ／１２１ｂ／２２１ａ／２２１ｂと、遅延回路１２２ａ／１２２ｂ／２２２ａ／２２２ｂとを有する同一のハードウェア構成となっており、スクランブル周期が同一である同一のスクランブル方式を採用している。
【００２１】
同様に、復調器１４ａ／１４ｂ／２４ａ／２４ｂのそれぞれは、変調回路１４１ａ／１４１ｂ／２４１ａ／２４１ｂと、遅延回路１４２ａ／１４２ｂ／２４２ａ／２４２ｂとを有する同一のハードウェア構成となっている。
【００２２】
なお、本実施形態においては、ＭＵＸ装置１００にて分岐出力されたＶ偏波／Ｈ偏波の２本のＳＴＭ−Ｎ信号は無線機入力からアンテナ出力までは完全に分離され二重化されており、無線回線は互いに独立している。
【００２３】
また、本実施形態においては、一般的に互いに直交する偏波面を利用したコチャンネル伝送方式では交差偏波干渉補償器を使用しているために、交差偏波干渉補償器１５ａ／１５ｂ／２５ａ／２５ｂを構成に含めたが、交差偏波干渉補償器を構成から外しても本発明の効果に何ら影響はない。
【００２４】
また、本実施形態においては、送信側では変調器１２ａ／１２ｂ／２２ａ／２２ｂ内にＳＴＭ−Ｎ信号を遅延させる遅延回路１２２ａ／１２２ｂ／２２２ａ／２２２ｂを設けたが、遅延回路はアンテナからＳＴＭ−Ｎ信号が出力されるまでの間であればいかなる場所に設けても良く、例えば、インターフェイス回路１１ａ／１１ｂ／２１ａ／２１ｂの送信側または送受信器１３ａ／１３ｂ／２３ａ／２３ｂの送信側に設けても良い。
【００２５】
以下に、図１に示した伝送システムの動作について説明する。
【００２６】
まず、インターフェイス回路１１ａ／１１ｂ／２１ａ／２１ｂでは、ＭＵＸ装置から入力されたＳＴＭ−Ｎ信号がそれぞれＣＭＩ（Ｃｏｄｅｄ  Ｍａｒｋ  Ｉｎｖｅｒｓｉｏｎ）／ＮＲＺ（Ｎｏｎ  Ｒｅｔｕｒｎ  ｔｏ  Ｚｅｒｏ）変換され、フレーム同期が取られ、ＳＯＨ（Ｓｅｃｔｉｏｎ  Ｏｖｅｒｈｅａｄ）信号処理が施され、ベースバンドデジタル信号に変換された後、変調器１２ａ／１２ｂ／２２ａ／２２ｂに対して出力される。
【００２７】
変調器１２ａ／１２ｂ／２２ａ／２２ｂでは、インターフェイス回路１１ａ／１１ｂ／２１ａ／２１ｂから入力されたベースバンドデジタル信号に対し、不図示の回路により誤り訂正用の符号ビットおよび無線回線用の冗長伝送信号が付加され、スクランブル信号処理が施される。このとき、Ｖ偏波用の変調器１２ａ／２２ａに入力されたスクランブル信号処理実施後の信号は、遅延回路１２２ａ／２２２ａを通過するように設定され、Ｈ偏波用の変調器１２ｂ／２２ｂに入力されたスクランブル信号処理実施後の信号は、遅延回路１２２ｂ／２２２ｂを迂回し通過しないように設定されている。その後、スクランブル信号処理実施後の信号は、変調回路１２１ａ／１２１ｂ／２２１ａ／２２１ｂにて所定の変調方式で周波数軸上に変調され、変調波信号に変換された後、送受信器１３ａ／１３ｂ／２３ａ／２３ｂに対して出力される。
【００２８】
送受信器１３ａ／１３ｂ／２３ａ／２３ｂでは、変調器１２ａ／１２ｂ／２２ａ／２２ｂから入力された変調波信号がＲＦ帯の無線周波数のＲＦ信号に変換された後、自局のアンテナに対して送出される。
【００２９】
自局のアンテナにて受信されたＲＦ信号はそれぞれＶ偏波ＲＦ信号／Ｈ偏波ＲＦ信号として合成されコチャンネル伝送方式で対向局のアンテナに対して送出される。コチャンネル伝送時の周波数配置は図２に示されるように互いに直交する偏波面を利用し、ＲＦ周波数は同一の周波数を使用している。
【００３０】
対向局のアンテナにて受信されたＲＦ信号はそれぞれＶ偏波ＲＦ信号／Ｈ偏波ＲＦ信号として分離され、それぞれＶ偏波用の送受信器１３ａ／２３ａおよびＨ偏波用の送受信器１３ｂ／２３ｂに対して出力される。
【００３１】
送受信器１３ａ／１３ｂ／２３ａ／２３ｂでは、自局のアンテナから入力されたＲＦ信号が中間周波数帯の変調波信号に変換され、復調器１４ａ／１４ｂ／２４ａ／２４ｂに対して出力される。
【００３２】
復調器１４ａ／１４ｂ／２４ａ／２４ｂでは、送受信器１３ａ／１３ｂ／２３ａ／２３ｂから入力された変調波信号が、復調器１４１ａ／１４１ｂ／２４１ａ／２４１ｂによりベースバンドデジタル信号に復調される。
【００３３】
また、交差偏波干渉補償器１５ａ／１５ｂ／２５ａ／２５ｂでは、異偏波側の送受信器１３ｂ／１３ａ／２３ｂ／２３ａから出力された中間周波数帯の干渉補償信号が再生され、それぞれと対になる復調器１４ａ／１４ｂ／２４ａ／２４ｂに対して出力される。
【００３４】
復調器１４ａ／１４ｂ／２４ａ／２４ｂでは、自身で再生したベースバンドデジタル信号と交差偏波干渉補償器１５ａ／１５ｂ／２５ａ／２５ｂからの干渉補償信号とが演算され、それにより、交差偏波間干渉の除去された元のベースバンドデジタル信号が再生される。このとき、Ｈ偏波の復調器１４ｂ／２４ｂ内の復調回路１４１ｂ／２４１ｂにて復調されたベースバンドデジタル信号は、Ｖ偏波用の変調器１２ａ／２２ａ内の遅延回路１２２ａ／２２２ａと同一の遅延回路１４２ｂ／２４２ｂを通過するように設定され、Ｖ偏波用の復調器１４ａ／２４ａ内の復調回路１４１ａ／２４１ａにて復調されたベースバンドデジタル信号は、遅延回路１４２ａ／２４２ａを迂回し通過しないように設定されている。その後、ベースバンドデジタル信号は、不図示の回路によりスクランブル信号処理が解除され、送信側で付加された無線回線用の冗長伝送信号が除去され、誤り訂正部で復号する等の信号処理が施された後、インターフェイス回路１１ａ／１１ｂ／２１ａ／２１ｂに対して出力される。
【００３５】
その後、インターフェイス回路１１ａ／１１ｂ／２１ａ／２１ｂでは、復調器１４ａ／１４ｂ／２４ａ／２４ｂから入力されたベースバンドデジタル信号が、ＳＯＨ信号処理され、ＳＴＭ−Ｎ信号に変換された後、ＭＵＸ装置に対して出力される。このように互いに直交する交差偏波を用いた伝送を行うことで、ＳＴＭ−Ｎ信号は無線機入力からアンテナ出力まで完全に二重化されることになる。
【００３６】
上述したように本実施形態においては、Ｖ偏波／Ｈ偏波の一方の系の送信側に、Ｖ偏波／Ｈ偏波の無線信号同士で相関が発生しない程度の遅延時間差を持たせているため、マルチパスフェーディングが発生することが無い。
【００３７】
また、Ｖ偏波／Ｈ偏波の他方の系の受信側に、一方の系の送信側で設けたものと同一の遅延時間差を持たせているため、Ｖ偏波／Ｈ偏波の２つの交差偏波間での伝播遅延時間を等しくすることができる。
【００３８】
【発明の効果】
以上説明したように本発明においては、Ｖ偏波用無線機およびＨ偏波用無線機のうち一方の偏波用無線機の送信側では、対向局に送信すべきＳＴＭ−Ｎ信号が遅延回路を通過するように設定されているため、Ｖ偏波用無線機およびＨ偏波用無線機のそれぞれのスクランブル方式が同一である場合でも、アンテナから送出されるＶ偏波／Ｈ偏波の無線信号同士が互いに強い相関を持つことがなくなり、それにより、マルチパスフェーディングを発生することなく、正常にＳＴＭ−Ｎ信号を伝送することができる。
【００３９】
また、Ｖ偏波用無線機およびＨ偏波用無線機のうち他方の偏波用無線機の受信側では、対向局から受信したＳＴＭ−Ｎ信号が一方の偏波用無線機の送信側に設けたものと同一の遅延回路を通過するように設定されているため、Ｖ偏波／Ｈ偏波の交差偏波間での伝播遅延時間を等しくすることができる。
【図面の簡単な説明】
【図１】本発明の一実施形態の伝送システムを示す図である。
【図２】図１に示した伝送システムにて利用するコチャンネル周波数配置を説明する図である。
【図３】本従来例の伝送システムを示す図である。
【符号の説明】
１ａ，２ａ    Ｖ偏波用無線機
１ｂ，２ｂ    Ｈ偏波用無線機
１１ａ，１１ｂ，２１ａ，２１ｂ    インターフェイス回路
１２ａ，１２ｂ，２２ａ，２２ｂ    変調器
１３ａ，１３ｂ，２３ａ，２３ｂ    送受信器
１４ａ，１４ｂ，２４ａ，２４ｂ    復調器
１５ａ，１５ｂ，２５ａ，２５ｂ    交差偏波干渉補償器
１２１ａ，１２１ｂ，２２１ａ，２２１ｂ    変調回路
１２２ａ，１２２ｂ，２２２ａ，２２２ｂ    遅延回路
１４１ａ，１４１ｂ，２４１ａ，２４１ｂ    復調回路
１４２ａ，１４２ｂ，２４２ａ，２４２ｂ    遅延回路
【図１】
2004247772.tif 000003
【図２】
2004247772.tif 000004
【図３】
2004247772.tif 000005